(57)【要約】      （修正有）【課題】ソケットホルダーの構成部材のコンパクト化を図り、安価に製造できるソケットホルダーを提供する。【解決手段】下端部１にソケットの開口部に嵌挿せしめる球体ｓが突出もしくは沈降する第１孔部２を有する係止部３が形成され、係止部の上方にピンｄを挿入する第２孔部４を形成し、第２孔部の上方の頭部５にリングｆが嵌挿する第３孔部６を形成し、係止部の下方の底面部７より頭部５にかけ穿設する嵌挿孔９を設けた基軸本体ａと、切欠部１４を設けた球体飛出調節体ｂと、手指引掛け操作体ｅを別設する。基軸本体ａの嵌挿孔９内に、弾性体ｃを挿入し、球体ｓと球体飛出調節体ｂを嵌挿し、手指引掛け操作体ｅを基軸本体ａに嵌め込み、小孔１７と第２孔部４にピンｄを貫通する。【選択図】図２
0003209583.tif 000002
【実用新案登録請求の範囲】
【請求項１】
下端部にソケットの開口部に嵌挿せしめる球体が突出もしくは沈降する第１孔部を有する係止部が形成せしめられ、且つ前記係止部の上方にピンを挿入せしめる第２孔部を形成し、前記第２孔部の上方の頭部にリングが嵌挿する第３孔部を形成せしめ、前記係止部の下方の底面部より頭部にかけ穿設せしめる嵌挿孔を設けた基軸本体と、
前記基軸本体の嵌挿孔内に挿入する弾性体と、上方部に前記ピンを挿入せしめるピン孔を形成し、且つ前記ピン孔よりも下方底部の外側辺部にかけて切込みが漸次大きくなるように形成せしめた切欠部を設けた球体飛出調節体と、
前記基軸本体に嵌挿する嵌挿孔を形成せしめる側壁部の下方部に、前記ピンを貫通せしめる小孔を設けた手指引掛け操作体を夫々別設し、
前記基軸本体の嵌挿孔内に、前記弾性体を挿入せしめ、且球体と前記球体飛出調節体を嵌挿せしめ、前記手指引掛け操作体を前記基軸本体に嵌め込むと共に、前記手指引掛け操作体の小孔と前記基軸本体の第２孔部に前記ピンを貫通せしめ組立てることを特徴とするソケットホルダー。
【請求項２】
前記基軸本体を形成する係止部の径が、第２孔部を有する中間部位の径よりも大きく形成されていることを特徴とする請求項１に記載のソケットホルダー。
【請求項３】
前記球体飛出調節体の切欠部は、傾斜状にて形成せしめ、前記切欠部の下方部に突出部を形成せしめることを特徴とする請求項１又は２に記載のソケットホルダー。
【請求項４】
前記基軸本体の細長状の嵌挿孔は、前記第２孔部と第３孔部との間の部位まで穿設せしめられることを特徴とする請求項１又は２又は３に記載のソケットホルダー。
【請求項５】
前記手指引掛け操作体は、円筒形状にして、且つ外側部に凹部を形成せしめられていることを特徴とする請求項１又は２又は３又は４に記載のソケットホルダー。
【考案の詳細な説明】
【技術分野】
【０００１】
本考案は、ソケットホルダーの分野に関するものである。
【背景技術】
【０００２】
従来、ソケットホルダーとして、下記特許文献１の特開２０１６−５５３９９号公報に記載のものが開示されている。
【０００３】
前記特許文献１に記載された工具ホルダーは、球体ｓを飛出もしくは沈降するために、軸部１２０の下方部に第１の凹部１２４と第２の凹部１２２と第３の凹部１２５を夫々形成せしめなければならないので、加工工程が複雑である。
【０００４】
また、従来開示の工具ホルダーは、球体ｓを第３の開口部１１４から沈降させるのに、本体部１１０の上方に形成する指掛部１１８に２本の手指を引掛け、且つ本体部１１０内に嵌挿せしめる軸部１２０の頭部を、親指を当てて押下げる操作を施してやらなければならない機構のため、親指１本に大きな負担がかかる構造をしている。
【０００５】
さらに、前記従来開示の工具ホルダーは、軸部１２０を嵌挿せしめる本体部１１０の形状が太目のため、材料が多く使用されている。そのためコンパクト化が図れない構造をしている。
【先行技術文献】
【特許文献】
【０００６】
【特許文献１】特開２０１６−５５３９９号公報
【考案の概要】
【考案が解決しようとする課題】
【０００７】
しかるに、本考案は、従来開示の公開特許公報の工具ホルダーと異なり、ソケットホルダーを構成する構成部材のコンパクト化を図り、安価に製造することができるようにした。
【０００８】
さらに、本考案は従来開示の公開特許公報の発明と異なり、２本の手指を使って、球体を突出させたり、もしくは沈降せしめる球体飛出調節体の引上げ操作を極めて簡単にした。
【課題を解決するための手段】
【０００９】
課題を解決するための手段として、請求項１に記載の考案は、下端部１にソケットの開口部１９に嵌挿せしめる球体ｓが突出もしくは沈降する第１孔部２を有する係止部３が形成せしめられ、且つ前記係止部３の上方にピンｄを挿入せしめる第２孔部４を形成し、前記第２孔部４の上方の頭部５にリングｆが嵌挿する第３孔部６を形成せしめ、前記係止部３の下方の底面部７より頭部８にかけ穿設せしめる嵌挿孔９を設けた基軸本体ａと、
前記基軸本体ａの嵌挿孔９内に挿入する弾性体ｃと、上方部１１に前記ピンｄを挿入せしめるピン孔１０を形成し、且つ前記ピン孔１０よりも下方底部１３の外側辺部１２にかけて切込みが漸次大きくなるように形成せしめた切欠部１４を設けた球体飛出調節体ｂと、
前記基軸本体ａに嵌挿する嵌挿孔１５を形成せしめる側壁部１６の下方部に、前記ピンｄを貫通せしめる小孔１７を設けた手指引掛け操作体ｅを夫々別設し、
前記基軸本体ａの嵌挿孔９内に、前記弾性体ｃを挿入せしめ、且球体ｓと前記球体飛出調節体ｂを嵌挿せしめ、前記手指引掛け操作体ｅを前記基軸本体ａに嵌め込むと共に、前記手指引掛け操作体ｅの小孔１７と前記基軸本体ａの第２孔部４に前記ピンｄを貫通せしめ組立てることを特徴とするソケットホルダーである。
【００１０】
上記課題を解決するための手段として、請求項２に記載の考案は、前記基軸本体ａを形成する係止部３の径が、第２孔部４を有する中間部位の径よりも大きく形成されていることを特徴とする請求項１に記載のソケットホルダーである。  
【００１１】
上記課題を解決するための手段として、請求項３に記載の考案は、前記球体飛出調節体ｂの切欠部１４は、傾斜状にて形成せしめ、前記切欠部１４の下方部に突出部１４ａを形成せしめることを特徴とする請求項１又は２に記載のソケットホルダーである。
【００１２】
上記課題を解決するための手段として、請求項４に記載の考案は、前記基軸本体ａの細長状の嵌挿孔９は、前記第２孔部４と第３孔部６との間の部位まで穿設せしめられることを特徴とする請求項１又は２又は３に記載のソケットホルダーである。
【００１３】
上記課題を解決するための手段として、請求項５に記載の考案は、前記手指引掛け操作体ｅは、円筒形状にして、且つ外側部に凹部１８を形成せしめられていることを特徴とする請求項１又は２又は３又は４に記載のソケットホルダーである。
【考案の効果】
【００１４】
本考案は上述のとおりであって、前記基軸本体の係止部の上方部に嵌挿せしめられた手指引掛け操作体の側壁部に２本の手指（人差し指と中指）を引掛け、他方前記基軸本体の頭部に親指を当てながら、前記２本の引掛け指を上方に引上げてやると、前記ピンによって支持されている球体飛出調節体が、基軸本体の第２孔部の径の長さだけ上昇し、前記上昇動作によって球体も同時に傾斜状に切欠されている切欠部内に沈降し、基軸本体の第１孔部からの飛出状態が解除され、ソケットの開口部より極めてスムーズに離脱せしめることができる。
【００１５】
さらに、本考案は前記基軸本体内に細長状の嵌挿孔が穿設されているので、弾性体と球体飛出調節体を極めて容易に挿入せしめると共に、前記球体飛出調節体のピン孔と前記手指引掛け操作体の対向状に形成されている小孔に、ピンを挿込めば、極めて容易に前記の各構成部材を組立てることができる利点がある。
【００１６】
また本考案は、球体を飛出もしくは沈降せしめる前記球体飛出調節体の切欠部を形成するのに、前記球体飛出調節体の下方底部の外側辺部を傾斜状に切込み、該切込みが漸次大になるように形成せしめたので、その形成時に加工工程が極めて容易である。そのため、加工費も節減可能となった。
【図面の簡単な説明】
【００１７】
【図１】本考案ソケットホルダーの正面図である。
【００１８】
【図２】同図１のソケットホルダーの各構成部材の組立て前の正面図である。
【００１９】
【図３】同ソケットホルダーの右側面図である。
【００２０】
【図４】同ソケットホルダーの背面図である。
【００２１】
【図５】同ソケットホルダーをホルダーに嵌込んだ底面図である。
【００２２】
【図６】同ソケットの平面図である。
【考案を実施するための最良の形態】
【００２３】
本考案のソケットホルダーの請求項１〜５に記載の考案に関する実施の形態は共通しているので、一括して以下のとおり説明する。
【００２４】
図において、Ａは組立てられた本考案ソケットホルダーであり、以下の構成部材からなっている。
【００２５】
すなわち本考案のソケットホルダーＡは、基軸本体ａと球体飛出調節体ｂと弾性体ｃとピンｄと手指引掛け操作体ｅから構成されている。以下これらの構成部材の具体的構成について説明する。
【００２６】
前記基軸本体ａの構成は以下のとおりである。
【００２７】
この基軸本体ａの下端部１には、ソケットｇの開口部１９内に嵌挿せしめる球体ｓが突出もしくは沈降する円形状の第１孔部２を有する係止部３が形成されている。
【００２８】
そして前記係止部３は、前記ソケットｇの開口部１９に嵌挿できるように、横断面が四辺形状をしている。従って前記ソケットｇの開口部１９も図３に図示のごとく四辺形状をしている。
【００２９】
さらに前記第１孔部２は、四辺形状の係止部３を構成する各係止面部３ａの中１個所とする。
【００３０】
つぎに前記係止部３の上方には、ピンｄを挿入せしめる第２孔部４を形成する。この第２孔部４は、貫通状態で穿設されており、ピンｄが貫通する。
【００３１】
前記係止部３の上方部と前記第２孔部４が形成されている横断面が円形状の胴体部４ａの基部は、段差部４ｂが形成されている。
【００３２】
前記第２孔部４の上方の頭部１５には、リングｆが嵌挿する貫通状の第３孔部６を形成する。そして前記リングｆは図面に図示されているように接続し、下方のリングｆは前記第３孔部６に貫通されている。
【００３３】
前記リングｆが貫通する第３孔部６が形成されている部位は、横断面が円形状をしている。
【００３４】
さらに、前記基軸本体ａには、前記係止部３の下方の底面部７より頭部８にかけて、細長状の嵌挿孔９を設ける。そしてこの嵌挿孔９は、前記係止部３の内側部側の径を、前記第２孔部４が形成されている胴体部４ａの内側部側に穿設されている嵌挿孔９の径より大きく形成されている。その理由は前記球体ｓの飛出と沈降をスムーズに行うことができるような構造となっている。
【００３５】
さらに穿設されている前記細長状の嵌挿孔９の長さは、第２孔部４が形成されている胴体部４ａと第３孔部６が形成されている頭部５との間の部位にまで延長して穿設されている。
【００３６】
さらに前記球体飛出調節体ｂについて説明する。
【００３７】
この球体飛出調節体ｂは、上方部１１に、前記ピンｄを挿入せしめるピン孔１０を形成し、外側辺部１２の下方部から下方底部１３にかけて切込みが漸次大きくなる形状の切欠部１４を設ける。
【００３８】
図において、ｅは手指引掛け操作体であって、以下の構成からなっている。
【００３９】
この手指引掛け操作体ｅは、前記基軸本体ａに嵌挿する嵌挿孔１５を形成せしめる側壁部１６を有し、該側壁部１６の下方部に、前記ピンｄを貫通せしめる小孔１７を設ける。
【００４０】
本考案は、上記構成部材からなっており、前記の各構成部材は以下のようにして組立てる。
【００４１】
前記基軸本体ａの嵌挿孔９内には、前記弾性体ｃを挿入せしめ、つぎに球体ｓと前記球体飛出調節体ｂを嵌挿せしめる。さらに前記手指引掛け操作体ｅを前記基軸本体ａに嵌め込むと共に、前記手指引掛け操作体ｅの小孔１７と前記基軸本体ａの第２孔部４に前記ピンｄを貫通せしめ組立てる。
【００４２】
さらに、前記基軸本体ａを形成する係止部３の径が、第２孔部４を有する中間部位の径よりも大きく形成されている。
【００４３】
また、前記球体飛出調節体ｂの切欠部１４は、傾斜状にて形成せしめ、前記切欠部１４の下方部には突出部１４ａが形成されている。
【００４４】
本考案は、前記基軸本体ａの細長状の嵌挿孔９は、前記第２孔部４と第３孔部６との間の部位まで穿設されている。
【００４５】
前記手指引掛け操作体ｅは、円筒形状にして、且つ外側部に人差し指と中指を引掛ける凹部１８が形成されている。
【００４６】
図において、ｆは基軸本体ａの頭部５に形成された第３孔部６に嵌挿するリングであって、このリングｆは２個を接続させながら使用するが限定的ではない。
【００４７】
さらに弾性体ｃは、図面上スプリングが図示されているが、弾性を有するものであれば良いので、この実施例のものに限定しない。
【００４８】
ｇはソケットであり、上方部には、基軸本体ａの係止部３が嵌挿する上方開口部１９が形成されている。
【００４９】
２０は前記ソケットｇの下方部に形成された下方開口部である。
【００５０】
２１は前記上方開口部１９の内側壁面部２２に形成された前記球体ｓが嵌込むための凹部であって、該凹部２１は、通常４個所に形成される。
【００５１】
〈ソケットホルダーＡをソケットｇに嵌挿させる操作方法〉
【００５２】
本考案のソケットホルダーＡは、前記の構成部材を組立てたものであって、前記ソケットホルダーＡを前記ソケットｇに対し、嵌挿させない状態について説明すると以下のとおりである。
【００５３】
前記ソケットホルダーＡは、使用前は球体ｓが図３に図示されているように、球体ｓが係止部３より飛出した状態となっている。
【００５４】
前記のように球体ｓが、係止部３の面部より飛出しているときは、嵌挿孔９内に嵌挿している弾性体ｃが伸張し、球体飛出調節体ｂの頭部を押圧している状態であると同時に、球体飛出調節体ｂの傾斜状の切欠部１４が、球体ｓを押し付けている状態である。
【００５５】
従って、前記のように押し付けられた球体ｓは、第１孔部２より球体ｓの一部が係止部３の面部より飛出している。
【００５６】
次に、前記のように第１孔部２から球体ｓが飛出している状態を解除させて沈降せしめソケットｇの上方開口部１９に嵌挿させるための操作手順を説明すると以下のとおりである。
【００５７】
最初に前記手指引掛け操作体ｅの凹部１８に、人差し指と中指を引掛けると同時に、親指を前記基軸本体ａの頭部８の上面部に当ててやる。
【００５８】
つぎに、２本の指の人差し指と中指とを前記手指引掛け操作体ｅの凹部１８に引掛けたまま引き上げてやると、球体飛出調節体ｂの上方部１１に形成するピン孔１０に挿込まれている球体飛出調節体ｂが、上方に引上げられる。
【００５９】
そして、この引上げられる長さは、前記基軸本体ａの第２孔部４の直径分だけである。
【００６０】
前記のように、前記球体飛出調節体ｂが、第２孔部４の直径分だけに限定して引上げられているときは、前記球体ｓが沈降状態になって、係止部３の第１孔部２からは飛出しない状態となっている。
【００６１】
前記のように、３本の手指を介して球体ｓが沈降状態を保持しながら、一方の手指でつかんでいるソケットｇの上方開口部１９に係止部３を嵌挿させる。その際ソケットｇの凹部２１に、飛出している球体ｓが嵌挿し、ソケットｇとソケットホルダーＡは嵌着状態となる。
【００６２】
前記のようにソケットｇの上方開口部１９にソケットホルダーＡの係止部３が完全に嵌挿したところで、人差し指と中指とでつかんでいた手指引掛け操作体ｅから外してやる。
【００６３】
上記がソケットｇとソケットホルダーＡとの嵌着操作の手順である。
【００６４】
また、前記ソケットホルダーＡとソケットｇとの嵌着状態を解除する手順も前記の説明のとおり、２本の手指を引掛け、親指を前記基軸本体ａの頭部５の上面に当てながら、手指引掛け操作体ｅを上方に引き上げてやれば、球体ｓを沈降させることができる。前記のように球体ｓを沈降させたら、そのまま基軸本体ａをソケットｇの上方開口部１９から引き出せば極めて容易にソケットホルダーＡをソケットｇから離脱できる。
【００６５】
以上、実施形態を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００６６】
Ａ      ソケットホルダー
ａ      基軸本体
ｂ      球体飛出調節体
ｃ      弾性体
ｄ      ピン
ｅ      手指引掛け操作体
ｆ      リング
ｇ      ソケット
ｓ      球体
１      下端部
２      第１孔部
３      係止部
３ａ    係止面部
４      第２孔部
４ａ    胴体部
４ｂ    段差部
５      頭部
６      第３孔部
７      底面部
８      頭部
９      嵌挿孔
１０    ピン孔
１１    上方部
１２    外側辺部
１３    下方底部
１４    切欠部
１４ａ  突出部
１５    嵌挿孔
１６    側壁部
１７    小孔
１８    凹部
１９    上方開口部
２０    下方開口部
２１    凹部
２２    内側壁面部
【図１】
0003209583.tif 000003
【図２】
0003209583.tif 000004
【図３】
0003209583.tif 000005
【図４】
0003209583.tif 000006
【図５】
0003209583.tif 000007
【図６】
0003209583.tif 000008